(57)【要約】【課題】蓋体が閉じて完全に密閉された場合に、内視鏡の収納スペースの温度を所定温度に保持可能にする内視鏡用収納ケースを提供する。【解決手段】開閉可能な内視鏡用収納ケースは、収納した内視鏡を保持する保持手段と、前記内視鏡用収納ケースの内側全体に設けられた断熱手段と、前記内視鏡用収納ケース内の温度を調整する温度調整手段と、を備えることにより、上記課題の解決を図る。【選択図】      図２
2010057542.tif 000002
【特許請求の範囲】
【請求項１】
開閉可能な内視鏡用収納ケースにおいて、
収納した内視鏡を保持する保持手段と、
前記内視鏡用収納ケースの内側全体に設けられた断熱手段と、
前記内視鏡用収納ケース内の温度を調整する温度調整手段と、
を備えることを特徴とする内視鏡用収納ケース。
【請求項２】
前記温度調整手段は、冷却材または保温材であり、
前記内視鏡用収納ケースは、さらに、前記温度調整手段を収納する収納手段
を備えることを特徴とする請求項１に記載の内視鏡用収納ケース。
【請求項３】
前記温度調整手段は、冷却装置または加温装置である
ことを特徴とする請求項１に記載の内視鏡用収納ケース。
【請求項４】
前記温度調整手段は、
冷却装置と、
加温装置と、
前記内視鏡用収納ケースの内側の温度を検知する温度検知手段と、
前記検知した温度に基づいて、前記冷却装置と前記加温装置の動作を制御する制御手段と、
を備えることを特徴とする請求項１に記載の内視鏡用収納ケース。
【発明の詳細な説明】
【技術分野】
【０００１】
本発明は、内視鏡の収納ケースに関する。
【背景技術】
【０００２】
近年、検査または手術を行う場合、内視鏡が広く用いられている。内視鏡は、精密な構成であるため、保存・運搬する際には細心の注意を要する。そこで、内視鏡を保存、運搬するために、内視鏡用収納ケースが用いられる。
【０００３】
特許文献１では、内視鏡を定位置に密閉収納し、移動、輸送できるようにした内視鏡用収納ケースに、内視鏡が損傷を受ける温度よりも高い温度に融点を持つ液体を封入したものが開示されている。これにより、移動、輸送中の内視鏡を、振動、温度変化等から保護している。
【０００４】
特許文献２では、内視鏡を保持するハンガー部、ハンガーカバー内の空気を温める加温装置、空気を循環させるファン、内視鏡の内部管路に温められた空気を送風する送風手段を備える医療用電気機器積載カートが開示されている。これにより、内視鏡室への移動時や保管時等に内視鏡を安全かつ清潔に扱えるようにして、常に適切な状態で内視鏡を使用できるようにしている。
【０００５】
特許文献３では、内視鏡用キャリングケースの両方向側から内視鏡の出し入れを行えて、使い勝手の良い内視鏡用キャリングケースが開示されている。
なお、医療用具の収納に関するものとして、特許文献４がある。
【特許文献１】特開平０８−２４２１０号公報
【特許文献２】特開平０５−９５８８８号公報
【特許文献３】特開平１１−４７０７７号公報
【特許文献４】特開平０８−３８４８４号公報
【発明の開示】
【発明が解決しようとする課題】
【０００６】
内視鏡を内視鏡用収納ケースに収納して車等で持ち運びする場合、気候によっては車内が高温となり、内視鏡の耐熱温度を超えることがある。また、気候によっては低温環境に置かれたために内視鏡が冷えて挿入部が硬化し、即時に使用できない場合がある。
【０００７】
上記課題に鑑み、本発明では、蓋体が閉じて完全に密閉された場合に、内視鏡の収納スペースの温度を所定温度に保持可能にする内視鏡用収納ケースを提供する。
【課題を解決するための手段】
【０００８】
本発明に係る開閉可能な内視鏡用収納ケースは、収納した内視鏡を保持する保持手段と、前記内視鏡用収納ケースの内側全体に設けられた断熱手段と、前記内視鏡用収納ケース内の温度を調整する温度調整手段と、を備えることを特徴とする。
【０００９】
前記温度調整手段は、冷却材または保温材であり、前記内視鏡用収納ケースは、さらに、前記温度調整手段を収納する収納手段を備えることを特徴とする。
また、前記温度調整手段は、冷却装置または加温装置であることを特徴とする。また、前記温度調整手段は、冷却装置と、加温装置と、前記内視鏡用収納ケースの内側の温度を検知する温度検知手段と、前記検知した温度に基づいて、前記冷却装置と前記加温装置の動作を制御する制御手段と、を備えることを特徴とする。
【発明の効果】
【００１０】
本発明によれば、蓋体が閉じて完全に密閉された場合に、内視鏡の収納スペースの温度を所定温度に保持することができる。
【発明を実施するための最良の形態】
【００１１】
＜第１の実施形態＞
本実施形態では、保温手段としての保冷材または保温材を収納できる内視鏡用収納ケースについて説明する。
【００１２】
図１は、本実施形態における蓋体が開いた状態での内視鏡用収納ケース１の外観図である。蓋体３が開閉可能なように、ケース本体２と蓋体３が蝶番を介して接続されている。内視鏡用収納ケース１は、蓋体３が閉じていると、内部の収納スペース６が完全に密閉される構造になっている。把持部４は、内視鏡用収納ケース１を持ち運ぶためのである。ケース本体２及び蓋体３は、断熱材料７，９で構成された部分を筐体８，１０が覆っている。収納スペース６には、内視鏡１１を収納する際に、内視鏡１１を保持・固定するための保持部５が設けられている。
【００１３】
図２は、本実施形態におけるA方向から見たときの蓋体が閉じた状態での内視鏡用収納ケース１の断面図である。同図において、収納スペース６の右側には、間仕切り２１が設けられている。間仕切り２１により仕切られた空間は、温度調整材２２（保冷材または保温材）を収納するためのスペース（温度調整材用収納スペース）である。
【００１４】
本実施形態によれば、内視鏡用収納ケースは断熱構造であり、蓋体を閉じると完全に密閉されると共に、温度調整材用収納スペースに温度調整材を配置することにより、外部の温度環境に影響されることなく、ケース内部の温度を一定に保つことができる。
【００１５】
＜第２の実施形態＞
本実施形態では、保温手段として冷却装置を設けた内視鏡用収納ケースについて説明する。本実施形態の内視鏡用収納ケースの外観は、図１と同様である。なお、第1の実施形態と同様の構成については、同一の符号を付与し、その説明を省略する。
【００１６】
図３は、本実施形態におけるA方向から見たときのときの蓋体が閉じた状態での内視鏡用収納ケース１の断面図である。図２と異なる部分は、冷却装置３１と、バッテリー３２とを設けたことである。冷却装置３１は、ペルチェ素子または気化圧縮型の冷却装置である。冷却装置３１は、収納スペース６の底部に設置されており、収納スペース６全体を所定の設定温度で冷やすことができる。バッテリー３２は、冷却装置３２を駆動させるために電力を供給する電源である。
【００１７】
なお、内視鏡用収納ケース１に冷却装置３１の駆動を開始させるための電源スイッチを設けてもよい。また、収納スペース６内に温度センサーを設けておき、その温度センサーからの検知信号に基づき、所定の温度以上になったら、冷却装置３１を駆動させるようにしてもよい。
【００１８】
本実施形態によれば、内視鏡用収納ケースは断熱構造であり、蓋体を閉じると完全に密閉されると共に、冷却装置を駆動させることにより、外部の温度環境に影響されることなく、ケース内部の温度を一定に保つことができる。
【００１９】
＜第３の実施形態＞
本実施形態では、保温手段として加温装置を設けた内視鏡用収納ケースについて説明する。本実施形態の内視鏡用収納ケースの外観は図１と同様である。なお、第1、２の実施形態と同様の構成については、同一の符号を付与し、その説明を省略する。
【００２０】
図４は、本実施形態におけるA方向から見たときの蓋体が閉じた状態での内視鏡用収納ケース１の断面図である。同図は、図３の冷却装置３１をヒーター４１に置き換えたものである。ヒーター４１は、収納スペース６の底部に設置されており、収納スペース６全体を所定の設定温度で保温することができる。
【００２１】
なお、内視鏡用収納ケース１にヒーター４１の駆動を開始させるための電源スイッチを設けてもよい。また、収納スペース６内に温度センサーを設けておき、その温度センサーからの検知信号に基づき、所定の温度以下になったら、ヒーター４１を駆動させるようにしてもよい。
【００２２】
本実施形態によれば、内視鏡用収納ケースは断熱構造であり、蓋体を閉じると完全に密閉されると共に、加温装置を駆動させることにより、外部の温度環境に影響されることなく、ケース内部の温度を一定に保つことができる。
【００２３】
＜第４の実施形態＞
本実施形態では、保温手段として冷却装置及び加温装置を設けた内視鏡用収納ケースについて説明する。本実施形態の内視鏡用収納ケースの外観は図１と同様である。なお、第1−３の実施形態と同様の構成については、同一の符号を付与し、その説明を省略する。
【００２４】
図５は、本実施形態におけるA方向から見たときの蓋体が閉じた状態での内視鏡用収納ケース１の断面図である。同図において、収納スペース６の底部には、冷却装置３１及びヒーター４１が設置されている。
【００２５】
図６は、本実施形態における内視鏡用収納ケース１の内部構成を示す。内視鏡用収納ケース１は、コントローラ５１、センサー５２、冷却装置３１、ヒーター４１、バッテリー３２を備える。
【００２６】
センサー５２は、収納スペース６に設置されており、収納スペース６内の温度を検知する。コントローラ５１は、センサー５２で検知された温度に基づいて、冷却装置３１及びヒーター４１を切り替え、切り替わった装置の動作を制御する。
【００２７】
センサー５２で検知された温度Tが設定温度T1より高い場合、コントローラ５１は、冷却装置３１を駆動させて、収納スペース６の温度が所定の温度になるように調整する。このとき、ヒーター４１は停止している。また、センサー５２で検知された温度Tが設定温度T２（T2<T1）より低い場合、コントローラ５１は、ヒーター４１を駆動させて、収納スペース６の温度が所定の温度になるように調整する。
【００２８】
本実施形態によれば、内視鏡用収納ケースは断熱構造であり、蓋体を閉じると完全に密閉されると共に、収納スペースの温度に応じて冷却装置または加温装置を駆動させることにより、外部の温度環境に影響されることなく、ケース内部の温度を一定に保つことができる。
【００２９】
＜第５の実施形態＞
本実施形態では、運搬車内に設けられた電源に接続可能なコネクターを設けた内視鏡用収納ケースについて説明する。なお、第1−４の実施形態と同様の構成については、同一の符号を付与し、その説明を省略する。
【００３０】
図７（ａ）は、本実施形態の実施例１における車両内に設けられた電源と接続可能なコネクターを設けた内視鏡用収納ケース１を示す。同図は、図１の構成に、コネクター７１、充電式バッテリー７２を追加したものである。
【００３１】
収納スペース６内にある内視鏡駆動用の充電式バッテリー７２は、筐体８の外側に露出して設けたコネクター７１と接続されている。コネクター７１は、運搬車内に設けられた電源と接続して、その車載電源から取得した電力に基づいて、充電式バッテリー７２を充電する。
【００３２】
これにより、運搬車で内視鏡用収納ケース１を移動・運搬中に、その運搬車内に設けられた電源とコネクター７１を接続することにより、充電式バッテリー７２の充電をすることができる。
【００３３】
実施例１によれば、内視鏡用収納ケース１の移動・運搬中に、車載電源により内視鏡駆動用の充電式バッテリーの充電ができるので、使用したい場合にすぐに使用することができる。
【００３４】
図７（ｂ）は、本実施形態の実施例２における車両内に設けられた電源と接続可能なコネクターを設けた内視鏡用収納ケース１を示す。同図は、図３の構成に、コネクター７３を追加したものである。
【００３５】
このように構成することで、運搬車で内視鏡用収納ケース１を移動・運搬中に、その運搬車内に設けられた電源とコネクター７３を接続することにより、冷却装置３１を駆動させることができる。この場合、バッテリー３２はなくてもよい。また、図４、図５の構成にコネクター７３を設けて、車載電源から電力を取得することによりヒーター４１、冷却装置３１及びヒーター４１を駆動させてもよい。
【００３６】
実施例１によれば、内視鏡用収納ケース１の移動・運搬中、車載電源から電力を取得することにより、冷却装置または加温装置を駆動させることができる。
＜第６の実施形態＞
従来、ビデオ内視鏡で画像を観察するためにはモニター装置が必要であったが、携帯型の内視鏡は可搬性が重要であるために小さなモニターでしか観察できなかった。そこで、本実施形態では、内視鏡用収納ケースの蓋体の内側に設けたスクリーンに、ケース本体に設けた小型プロジェクタにより内視鏡画像を投影できる内視鏡用収納ケースについて説明する。なお、第1−５の実施形態と同様の構成については、同一の符号を付与し、その説明を省略する。
【００３７】
図８は、本実施形態における蓋体が開いた状態での内視鏡用収納ケース１の外観図である。蓋体３の内側にはスクリーン８２が設けられている。スクリーン８２は、巻き取り式でもよい。
【００３８】
ケース本体２には、内視鏡の収納用溝８４、付属品収納溝８５、小型プロジェクタ８１が設けられている。小型プロジェクタ８１は、スクリーン８２に映像が投影できるように設置されている。小型プロジェクタ８１の電源は、内視鏡用収納ケース１に内蔵されたバッテリーまたは商用電源である。筐体８の外側には、内視鏡１１からの映像信号を入力するための映像用ケーブル８６と接続するためのコネクター８３が設けられている。コネクター８３から入力された映像信号は、小型プロジェクタ８１に送られる。小型プロジェクタ８１は、その映像信号に基づいて、スクリーン８２に内視鏡画像を投影する。
【００３９】
本実施形態によれば、見やすい大きな画像で観察できると共に、携帯型内視鏡に求められる可搬性を両立することができる。
＜第７の実施形態＞
本実施形態では、プロセッサー及びモニターを設けた内視鏡用収納ケース１について説明する。
【００４０】
図９は、本実施形態における内視鏡用収納ケースを示す。同図において、内視鏡用収納ケース１は、内視鏡１１を収納できると共に、モニター部９１、プロセッサー部９２を有している。内視鏡１１で取得された映像信号は、操作部９３を介して、プロセッサー部９２に送信される。プロセッサー部９２では、必要な画像処理を行い、モニター部９１に画像がリアルタイムで表示される。
【００４１】
本実施形態によれば、内視鏡と内視鏡用収納ケースのみの簡易なシステムで、内視鏡で撮影した画像をリアルタイムで表示することができる。
なお、本発明は、以上に述べた実施の形態に限定されるものではなく、本発明の要旨を逸脱しない範囲内で種々の構成または実施形態を取ることができる。また、本発明は、第１〜第７の実施形態のうちいずれの実施形態を組み合わせてもよい。
【図面の簡単な説明】
【００４２】
【図１】第１の実施形態における蓋体が開いた状態での内視鏡用収納ケース１の外観図である。
【図２】第１の実施形態におけるA方向から見たときの蓋体が閉じた状態での内視鏡用収納ケース１の断面図である。
【図３】第２の実施形態におけるA方向から見たときの蓋体が閉じた状態での内視鏡用収納ケース１の断面図である。
【図４】第３の実施形態におけるA方向から見たときの蓋体が閉じた状態での内視鏡用収納ケース１の断面図である。
【図５】第４の実施形態におけるA方向から見たときの蓋体が閉じた状態での内視鏡用収納ケース１の断面図である。
【図６】第４の実施形態における内視鏡用収納ケース１の内部構成を示す。
【図７】第５の実施形態における車両内に設けられた電源と接続可能なコネクターを設けた内視鏡用収納ケース１を示す。
【図８】第６の実施形態における蓋体が開いた状態での内視鏡用収納ケース１の外観図である。
【図９】第７の実施形態における内視鏡用収納ケースを示す。
【符号の説明】
【００４３】
１      内視鏡用収納ケース
２      ケース本体
３      蓋体
４      把持部
５      保持部
６      収納スペース
７，９  断熱材料
８，１０  筐体
１１    内視鏡
２１    間仕切り
２２    温度調整材
３１    冷却装置
３２    バッテリー
４１    ヒーター
５１    コントローラ
５２    センサー
【図１】
2010057542.tif 000003
【図２】
2010057542.tif 000004
【図３】
2010057542.tif 000005
【図４】
2010057542.tif 000006
【図５】
2010057542.tif 000007
【図６】
2010057542.tif 000008
【図７】
2010057542.tif 000009
【図８】
2010057542.tif 000010
【図９】
2010057542.tif 000011